(57)【要約】      （修正有）【課題】  ブルドン管の移動量をペン軸に伝達しでチャートに圧力変化を記録する装置であり、製造と組立てが簡単で、製造のバラツキによるブルドン管の誤差の調整を簡単に、且つ、確実に行えるように工夫した自記録圧力測定装置を提供する。【解決手段】  ブルドン管１３の根端部が取り付けられた取付基部１４に左右２本の取付軸１５，１６を設け、装置側の取り付け基板側には支点孔１５Ｘと長孔１７を設け、一方の取付軸を支点孔に嵌込み、他方の取付軸を長孔に嵌込むことによって、取付基板６に対してブルドン管の取付角度を調節自在に構成する。【選択図】      図３
2005134136.tif 000002
【特許請求の範囲】
【請求項１】
水圧やガス圧等の各種流体圧力を加えると移動するブルドン管の管先の移動量を、チヤート紙上のペン軸に伝えて圧力の変化を記録する自記録圧力測定装置であって、
上記ブルドン管の根端部を取付基部に取付けて、当該装置側に設けた取付基板に対するこの取付基部の取付角度を調節自在に構成することにより、取付基板に対する上記ブルドン管の取付角度を可変可能に構成したことを特徴とする自記録圧力測定装置。
【請求項２】
ブルドン管の根端部が取付けられている取付基部に左右２本の取付軸を設け、当該装置側の取付基板にはこれ等２本の取付軸に対応させて支点穴と取付角度調節用長孔を設けて、一方の取付軸を支点穴に回動自在に嵌込み、他方の取付軸を上記長孔内に移動自在に嵌込むことによって、取付基板に対する取付基部及びブルドン管の取付角度を変更可能に構成すると共に、上記他方の取付軸自身の締付け、又は、取付軸に取付けた締付部材の締付けによって、上記取付基部の取付け角度を任意の角度に固定できるように構成したことを特徴とする請求項１に記載の自記録圧力測定装置。
【発明の詳細な説明】
【技術分野】
【０００１】
本発明は、水圧やガス圧、或は、プラント配管等の流体圧力と言った各種の圧力を測定することができる自記録圧力測定装置に関するものであって、具体的には、例えば水道管網の圧力情報を収集したり、配水系統や配水管網の圧力経時変化を把握したり、更には、漏水修理後の圧力監視や、設置したポンプ或は減圧弁の圧力チエック、或は、水道管路敷設工事後の圧力試験等に用いて好適な、自記録圧力測定装置に関するものである。
【背景技術】
【０００２】
図７乃至図９は、本出願人によって提案された特許文献１に見られる従来の自記録圧力測定装置の構成を説明したものであって、図７（Ａ）はその一例を示した平面図、図７（Ｂ）は圧力を記録したチヤート紙の平面図、図８は装置の内部構造を示した平面図、図９はその側面図である。
【０００３】
上記図７乃至図９に示した従来の自記録圧力測定装置ＸＴは、チヤート紙受け台５０と、その底面側に配管した圧力供給パイプ３０と、このパイプ３０を通して送られてくる圧力やガス圧等の各種流体圧力による膨張によって変形して、その管先３３′（図８参照）を移動するブルドン管３３と、この管先３３′に一端を取付けたスパン調整ア−ム３４、及び、このスパン調整ア−ム３４に対して、連結ピン３３Ａを用いて略十字状に交差するように、且つ、回動自在に連結した非線形調整ア−ム３５から成るリンク機構を備えている。
【０００４】
更に上記の自記録圧力測定装置ＸＴは、上記非線形調整ア−ム３５の先端部に軸３６を用いて連結した回動ア−ム３７と、この回動ア−ム３７によって回動される様に、上記チヤート紙受け台５０の底面に設けたギヤボツクス４０内に回動自在に取付けた回動軸３８と、この回動軸３８に取付けたヒゲゼンマイ３９と、チヤート紙受け台５０の上側に突出した上記回動軸３８の上端部３８Ｔに取付けたペン軸アーム４１を備えていて、全体が携帯可能な形状に造られている。
【０００５】
また、上記ペン軸アーム４１の先端部には、フエルトペン等から成るペン軸４１Ａが取付けられていて、圧力によって移動する上記ブルドン管３３の管先３３′の移動量を、上述したリンク機構やペン軸アーム４１等の連繋部材を介してペン軸４１Ａに伝えて、チヤート紙受け台５０の上面に於いて、ターンテーブル等の回転盤（図示省略）に載って回転するチヤート紙ＣＰの面に、図７（Ｂ）に示すように圧力の記録ＤＴを残す仕組に成っている。尚、図７（Ａ）と図９に於いて、４１Ｂはペン軸４１をチヤート紙ＣＰのゼロ点に合せる場合に用いるペン先調整摘みである。
【０００６】
以上の如く構成した従来の自記録圧力測定装置ＸＴを製造して出荷するに当っては、製作上の誤差を調整する必要がある。即ち、ブルドン管３３の管先３３′の位置（図８参照）は、製造上のバラツキによって組立てる装置毎に微妙に異なっている。また、ブルドン管３３の管先３３′の移動量は、その断面形状、寸法、板厚、及び、材料の弾性係数等の各種条件によっても変化し、同一に製造して組立てた装置であっても、誤差が生じる問題がある。更に、目盛りを等間隔とした場合には、上記構造上の誤差に加えてリンク機構の非線形性による誤差が加わるのである。
【０００７】
誤差には、圧力スパンと非線形誤差があり、圧力スパンはクランクの長さ、即ち、スパン調整ア−ム３５の上記管先３３′から上記連結ピン３３Ａ迄の長さを増減することで調整することができるものであって、上記連結ピン３３Ａの位置をずらして上記クランクの長さを短く調節すると、ブルドン管３３の管先３３′の動きに対して、ペン軸４１Ａの回転角を大きくすることができる。
【０００８】
一方、ブルドン管３３の管先３３′の動きとペン軸４１Ａの回転角の割合は、上記スパン調整ア−ム３５と非線形調整ア−ム３５が連結ピン３３Ａによって直角に連結されている場合が最も少なくなる。このため、非線形調整ア−ム３５の長さ、即ち、軸３６から連結ピン３３Ａ迄の長さを変えることによって、非線形誤差を補正することができ、また、非線形調整ア−ム３５を短く調整した場合には、低圧力域でのペン軸４１Ａの振れを大きくすることができる。
【０００９】
そこで従来は、図８に示すように連結ピン３３Ａを用いて連結するスパン調整ア−ム３４と非線形調整ア−ム３５の夫々に、その長さ方向に連結用の小孔を間隔を狭めて複数個並設しておいて、製品の検品時や出荷時に、連結ピン３３Ａによる両調整ア−ム３４，３５の連結位置を、各小孔の位置に合せて移動することによって、上記の誤差を調整していた。
【００１０】
しかし、上記従来の調整法では、圧力スパンと非線形を独立して調整することができず、連結ピン３３Ａの位置を変えて圧力スパンを調整すると非線形も変化し、また、非線形の補正を行うと圧力スパンが変ってしまう問題があり、更に、何れの場合でもゼロ点が変化してしまうため、結局、スパンの調整と非線形の補正を交互に繰返し、且つ、その都度ゼロ点を調整し直して規定の範囲に収めなければならず、十分に誤差を調整できない割りに、作業が頗る煩雑であった。
【００１１】
加えて、上記各調整ア−ム３４，３５の夫々には調整用の複数の小孔を間隔を狭めた状態で並設する必要があるため、製造が頗る面倒であって、上記調整及び組立ての各作業が煩雑である点と相剰して、製造コストを高くしてしまう問題もあった。
【特許文献１】特開平２００３−１９４６５０号公報
【発明の開示】
【発明が解決しようとする課題】
【００１２】
従って本発明が解決しようとする技術的課題は、製造と組立てが簡単で、製造のバラツキによるブルドン管の誤差の調整を頗る簡単に、且つ、確実に行えるように工夫した自記録圧力測定装置を提供することである。
【課題を解決するための手段】
【００１３】
（１）  上記の技術的課題を解決するために、本発明の請求項１に係る自記録圧力測定装置は、水圧やガス圧等の各種流体圧力を加えると移動するブルドン管の管先の移動量を、チヤート紙上のペン軸に伝えて圧力の変化を記録する自記録圧力測定装置であって、上記ブルドン管の根端部を取付基部に取付けて、当該装置側に設けた取付基板に対するこの取付基部の取付角度を調節自在に構成することにより、取付基板に対する上記ブルドン管の取付角度を可変可能に構成したことを特徴とする。
【００１４】
（２）  また、本発明の請求項２に係る自記録圧力測定装置は、ブルドン管の根端部が取付けられている取付基部に左右２本の取付軸を設け、当該装置側の取付基板にはこれ等２本の取付軸に対応させて支点穴と取付角度調節用長孔を設けて、一方の取付軸を支点穴に回動自在に嵌込み、他方の取付軸を上記長孔内に移動自在に嵌込むことによって、取付基板に対する取付基部及びブルドン管の取付角度を変更可能に構成すると共に、上記他方の取付軸自身の締付け、又は、取付軸に取付けた締付部材の締付けによって、上記取付基部の取付け角度を任意の角度に固定できるように構成したことを特徴とする。
【発明の効果】
【００１５】
上記（１）と（２）で述べた本発明によれば、製造時の精度上のバラツキによって発生するブルドン管の管先の誤差（位置の誤差）を、ブルドン管の取付角度を変更することによって自在に調整することを可能にするが、本発明では特に、誤差の調整を取付基板に対する取付基部の取付角度を調整するだけの極めて簡単な作業で済ませることができ、また、図８に示した従来装置の様に多数の小孔を並設した複雑なリンク機構を設ける必要もないため、管先の誤差の調整に関する経費の軽減を図ることができるものであって、その結果、自記録圧力測定装置自身の製造コストを安くできる経済性を発揮することができる。
【発明を実施するための最良の形態】
【００１６】
以下に、本発明に係る自記録圧力測定装置を実施するための最良の形態を図面と共に説明すると、図１は本発明の要部を示した側面図、図２は本発明で用いる取付基板の一例を示した底面図、図３は図１に示した本発明の要部の平面図、図４は同じく底面図であって、これ等の図面において、符号１で全体的に示した自記録圧力測定装置は、チヤート紙受台２と、その底面側に配管して圧力供給パイプ１４Ｋと、根端部が取付基部１４を介して圧力供給パイプ１４Ｋに連通接続された全体が略リング形状を成すブルドン管１３と、このブルドン管１３の管先１３Ｚ側に連設したペン軸アーム３を備えている。
【００１７】
圧力供給パイプ１４Ｋを通して送られて来る水圧やガス等の各種流体は、取付基部１４を通してブルドン管１３内に流入し、その圧力によってブルドン管１３を変形して管先１３Ｚに連設したペン軸アーム３を移動し、ペン軸アーム３の先端に取付けたフエルトペンの様なペン軸４が、チヤート紙受台２の上面においてターンテーブル等の回転盤（図示省略）に載って回転する円形状に形成されたチヤート紙ＣＰの面に、図７（Ｂ）に示すような流体圧力の変化に基づく記録ＤＴを記入する。また、２Ｘは上記回転盤の回転軸、２Ｙはそのムーブメントである。
【００１８】
１０はブルドン管１３の管先１３Ｚに取付けた管先金具、６は上記チャート紙受台２の下側に位置するように当該装置１の内部に設けた取付基板（基板フレーム）、５は取付基板６に回転自在に取付けた駆動軸で、駆動軸５の上端部５Ｔに上述したペン軸アーム３の根端部が水平に、且つ、一体回動自在に取付けられている。８は駆動軸５の下端部にその一端部を固着したＵ字アーム、５Ｘは駆動軸５の下端部に取付けた固着用の締付けナットで、上記Ｕ字アーム８の他端部には連結用のピン又は軸１１を用いてリンク９が回動自在に連結され、リンク９の先端部は連結用のピン又は軸１２を用いて上述した管先金具１０の略Ｌ字状に屈曲した下端部１０Ｔに回動自在に連結されている。
【００１９】
尚、図１において５Ａと５Ｂは上記駆動軸５に取付けたナット、５Ｓはこれ等ナット５Ａ，５Ｂの間に巻装されているコイルスプリング、７は取付基板６とチャート紙受台２の間に取付けた取付軸で、コイルスプリング５Ｓの両端部をこの取付軸７に取付けることによって、コイルスプリング５Ｓが駆動軸５及びペン軸アーム３をゼロ点位置に戻す作用を発揮するように構成されている。
【００２０】
従って、圧力の送入によってブルドン管１３の管先金具１０が移動すると、リンク９及びＵ字アーム８を介して駆動軸５が回転するため、ペン軸アーム３がチヤート紙ＣＰの半径方向に沿って水平に回動して、ペン軸４がチヤート紙ＣＰの面に流体圧力変化の記録ＤＴを記入することができる。
【００２１】
図３及び図４に於いて、Ｘは上記ペン軸アーム３のスパン（回転角）で、ＸＡは無負荷時におけるペン軸アーム３（ペン軸４）のゼロ点位置を示すライン、ＸＢは最大の圧力を受けた時に於けるペン軸アーム３（ペン軸４）の位置を示すラインである。また、図１において７Ｘは上記取付軸７用の締付ナット、図２と図３において５Ｒと７Ｒは、上記取付基板６に設けた駆動軸５と取付軸７の取付穴である。
【００２２】
１５と１６は上記取付基部１４の底面対角線上に取付けた左右２本の取付軸、１５Ｘと１７（図２参照）は取付基部１４の取付軸１５，１６に対応させて取付基板６に設けた支点穴と取付角度調節用長孔で、この長孔１７は前記円形状に形成されたチヤート紙ＣＰの半径方向、即ち、ペン軸アーム３のスパンＸ方向に沿って長目に形成されている。
【００２３】
ブルドン管１３の内側に位置するように設けた支点穴１５Ｘには、上述した取付基部１４の一方の取付軸１５が回転自在に嵌込まれ、また、ブルドン管１３の外側に位置するように設けた取付角度調節用長孔１７には、取付基部１４の他方の取付軸１６が移動自在に嵌込まれている。
【００２４】
Ｙは支点穴１５Ｘに嵌込んだ一方の取付軸１５を中心とする取付基部１４の取付角度調整範囲、即ち、この取付基部１４に取付けたブルドン管１３の取付角度調節範囲であって、ブルドン管１３の管先に取付けた前記ペン軸アーム３のスパンＸの調整は、ブルドン管１３を取付基板６側に取付ける際に、上記取付角度調節用長孔１７を利用して取付基部１４の取付角度を変更すると共に、上記各取付軸１５，１６を締付けるか、或は、これ等各取付軸１５，１６に取付けたナットを締付けることによって、その取付角度を固定できる仕組に成っている。
【００２５】
尚、図５と図６は上記ブルドン管１３の管先金具１０の移動を駆動軸５に伝えるリンク機構の他の実施例を示したものであって、図５に示した実施例では、Ｕ字アーム８Ａの一端部を、上記駆動軸５の下端部に固定したリンク９の先端部にピン又は軸１１を用いて回動自在に連結すると共に、他端部をピン又は軸１２を用いて上記管先金具１０の下端部１０Ｔに回動自在に連結している。一方、図６に示した実施例では、Ｕ字アームを使用せずに２本のリンク８Ｂ，９と、ピン又は軸１１，１２を用いて記駆動軸５と管先金具１０の間を連繋した、極めてシンプルな構成に成っている。
【００２６】
本発明に係る自記録圧力測定装置は以上述べた如き構成であるから、製造上のバラツキによって生じるブルドン管１３の管先１３Ｚの誤差、即ち、管先１３Ｚの位置の誤差を、取付基板６に対する取付基部１４の取付角度を変更してブルドン管１３の取付角度を変更することによって、簡単に調整することができる。
【図面の簡単な説明】
【００２７】
【図１】本発明に係る自記録圧力測定装置の要部を示した側面図。
【図２】本発明の要部を構成する取付基板部分の構成を拡大して示した底面図。
【図３】本発明に係る自記録圧力測定装置の要部を示した平面図。
【図４】図３に示した本発明の要部の底面図。
【図５】本発明の他の実施例を説明した構成図。
【図６】本発明の他の実施例を説明した構成図。
【図７】（Ａ）は従来装置の一例を示した平面図、（Ｂ）は圧力の変化を記録したチヤート紙の平面図。
【図８】従来装置の要部を示した平面図。
【図９】従来装置の要部を示した側面図。
【符号の説明】
【００２８】
ＣＰ            チヤート紙
ＤＴ            圧力の記録
１              自記録圧力測定装置
２              チヤート紙受け台
３              ペン軸アーム
４              ペン軸
５              駆動軸
６              取付基板（基板フレーム）
１０            管先金具
１３            ブルドン管
１３Ｚ          管先
１４            取付基部
１５，１６      取付軸
１５Ｘ          支点穴
１７            取付角度調節用長孔
Ｘ              ペン軸アームのスパン
Ｙ              ブルドン管取付範囲調節範囲
【図１】
2005134136.tif 000003
【図２】
2005134136.tif 000004
【図３】
2005134136.tif 000005
【図４】
2005134136.tif 000006
【図５】
2005134136.tif 000007
【図６】
2005134136.tif 000008
【図７】
2005134136.tif 000009
【図８】
2005134136.tif 000010
【図９】
2005134136.tif 000011